(57)【要約】      （修正有）【課題】注射針がスムーズに安全シリンジ内に吸収され、収納される安全シリンジを提供する。【解決手段】シリンジ２１０、針基２２０、シリンジゴム栓２３０、プランジャー２４０、プランジャーゴム栓２５０、ニードルホルダー２６０及び真空発生装置２７０からなる。プランジャー２４０内に取付けた真空発生装置２７０から生じる低圧によって、針基２２０がプランジャー２４０を吸入する。【選択図】図２Ａ
0003152136.tif 000002
【実用新案登録請求の範囲】
【請求項１】
シリンジ前端とシリンジ後端を含むシリンジと、
前記シリンジ前端に取付けた針基と、
前記シリンジ内に設けたシリンジゴム栓と、
前記シリンジゴム栓は前記針基と結合させることによって前記針基を固定し、
プランジャー前端とプランジャー後端を含むプランジャーと、
前記プランジャーは前記シリンジ後端から前記シリンジに貫入し、
前記プランジャーの前端に設けたプランジャーゴム栓と、
前記プランジャーゴム栓と嵌合するニードルホルダーと、
前記ニードルホルダーは前記針基の後端の開口と結合し、
前記プランジャー内に取付けた真空発生装置と、からなり、
前記真空発生装置から生じる低圧によって前記針基を前記プランジャーを吸入することを特徴とする安全シリンジ。
【請求項２】
前記真空発生装置は真空ゴム栓とバーを含み、前記真空ゴム栓と前記プランジャーの間は気密性を保ち、前記真空ゴム栓が前記プランジャーの後端方向へ移動すると、前記プランジャー内部に低圧が生じて、前記バーは前記真空ゴム栓に連接して、前記バーによって前記真空ゴム栓を移動させることを特徴とする請求項１に記載する安全シリンジ。
【請求項３】
、
前記バーが封止部を有し、前記封止部が前記シリンジの前端を密封することを特徴とする請求項２に記載する安全シリンジ。
【請求項４】
前記真空ゴム栓が弾性素材で製作されることを特徴とする請求項２に記載する安全シリンジ。
【請求項５】
前記シリンジは結合台座を有し、前記針基を前記結合台座上に取付けることを特徴とする請求項１に記載する安全シリンジ。
【考案の詳細な説明】
【技術分野】
【０００１】
本考案は、安全シリンジ、特に真空発生装置を有する安全シリンジに関する。
【背景技術】
【０００２】
図１は、公知のシリンジ１００の構造概略図を表す。
公知のシリンジ１００は、シリンジ１１０、ピストン１２０、及び注射針ユニット１３０を含む。
注射針ユニット１３０は、ねじ山を用いてシリンジ１１０の前端に固定され、ピストン１２０はゴム栓部１２１を有する。ゴム栓部１２１とシリンジ１１０の内壁に気密を維持するため、使用者が後方からピストン１２０に圧力をかけると、薬剤を注射針ユニット１３０の針口から絞り出すことができる。
公知のシリンジ１００が注射完了した後、使用者は必ず手で注射針ユニット１３０にカバーをつけ、その後回收する。
一旦操作に不注意があると、誤って注射針ユニット１３０を刺して傷を負い、病気感染の可能性を高める。
このため、多くの医療器材業者は、自動で注射針ユニット１３０を回収できる安全シリンジの開発に力を注ぎ、それによって使用者が感染する危険を減らすことができる。
【０００３】
安全シリンジは通常、スプリングや低圧等のメカニズムを使用して、注射針を注射完成後自動的にシリンジ内に収納する。
低圧方式は通常、シリンジの製作時にシリンジ内に密封保存されるが、シリンジ使用前、大気が徐々にシリンジ内に吸収されるため、当初の低圧が徐々に喪失し、最終的には吸収力不足のために、注射針をスムーズにシリンジ内に収納できなくなる。
【０００４】
本考案は上述した従来技術が有する欠点に鑑みて成されたもので、真空発生装置を用いて十分な低圧を生み出し、吸収力不足により注射針のスムーズな安全シリンジ内に吸収できないという状態を防ぐものである。
【考案の概要】
【考案が解決しようとする課題】
【０００５】
本考案の目的は、真空発生装置を有する安全シリンジを提供し、真空発生装置を用いて十分な低圧を生み出し、吸収力の不足によって注射針がスムーズに安全シリンジ内に吸収されないという状態を防ぐことにある。
【課題を解決するための手段】
【０００６】
上述の目的に基づき本考案は以下の安全シリンジを提供する。
前記安全シリンジは、シリンジ、針基、シリンジゴム栓、プランジャー、プランジャーゴム栓、ニードルホルダー、及び真空発生装置を含む。
シリンジは、シリンジ前端、及びシリンジ後端を含む。
針基はシリンジ前端内に設置され、シリンジゴム栓はシリンジ内に設置され、シリンジゴム栓と針基を連結し、これによって前記針基を固定する。
プランジャーは、プランジャー前端、及びプランジャー後端を含み、プランジャーはシリンジ後端から前記シリンジに貫入する。
プランジャーゴム栓は前記プランジャー前端に設置される。
ニードルホルダーと前記プランジャーゴム栓は相互に嵌合し、前記ニードルホルダーは針基の後端開口と連結できる。真空発生装置は前記プランジャー内に設置され、その中で、針基は前記真空発生装置が生み出す低圧を利用してプランジャーを吸収する。
【考案の効果】
【０００７】
本考案にあっては、安全シリンジを提供することにあり、使用者は真空発生装置を用いて十分な低圧を発生させ、注射針をスムーズに安全シリンジ内に吸収させ、使用者が手をむき出しにして注射針を回収する際の感染のリスクを防ぐことができる。
また本考案は、貯蔵時間が長すぎるために吸収力が不足し、スムーズに注射針をシリンジ内に吸収できないという状況を有効的に防ぐことができる。
【図面の簡単な説明】
【０００８】
【図１】公知シリンジの構造概略図である。
【図２Ａ】本考案の実施例による安全シリンジの断面概略図である。
【図２Ｂ】図２Ａにおける安全シリンジ前端の断面を拡大した概略図である。
【図２Ｃ】図２Ａにおけるプランジャーの断面を拡大した概略図である。
【図２Ｄ】図２Ａにおける安全シリンジの使用概略図である。
【図２Ｅ】図２Ａにおける安全シリンジの使用概略図である。
【図２Ｆ】図２Ａにおける安全シリンジの使用概略図である。
【図２Ｇ】図２Ａにおける安全シリンジの使用概略図である。
【図２Ｈ】図２Ａにおける安全シリンジの使用概略図である。
【考案を実施するための形態】
【０００９】
本考案の実施例に係る安全シリンジについて詳細に説明する。
【実施例１】
【００１０】
本考案は以下の実施例の他に他の実施例を適用でき、且つ本考案の範囲は、実施例の制限を受けない。
また、実施例および図面の記載は、本考案のより良い理解に役立てるためのものであり、図示した各部分は、実際の相対縮尺に基づくものではなく、尺度とその他関連する尺度の比率は誇張して表示している。
また関連しない細部もまた完全でなく図示を簡略化している。
【００１１】
図２Ａは、本考案の比較的好ましい実施例に基づいた安全シリンジ２００の断面概略図を表す。
前記安全シリンジ２００は、シリンジ２１０、針基２２０、シリンジゴム栓２３０、プランジャー２４０、プランジャーゴム栓２５０、ニードルホルダー２６０、及び真空発生装置２７０を含む。
シリンジ２１０は、シリンジ前端２１１及びシリンジ後端２１２を含む。
プランジャー２４０は、プランジャー前端２４１及びプランジャー後端２４２を含む。前記プランジャー２４０はシリンジ後端２１２から前記シリンジ２１０に貫入する。真空発生装置２７０はプランジャー２４０内に設置される。
【００１２】
図２Ｂは、図２Ａ中の安全シリンジ２００前端の断面を拡大した概略図を表す。
針基２２０はシリンジ前端２１１内に設置され、針基２２０の前端は、注射針２８０まで接続され、また針基２２０は後端開口２２１を有する。
シリンジゴム栓２３０は前記シリンジ２１０内に設置され、シリンジゴム栓２３０と針基２２０は結合され、それによって前記針基２２０を固定する。
本実施例では、シリンジ２１０結合台座２１５を有する。針基２２０は前記結合台座２１５上に設置される。
結合台座２１５は、針基２２０がシリンジゴム栓２３０によってきつく挟まれ、針基２２０がプランジャー２４０に吸収されないという状況を防ぐ。
【００１３】
図２Ｃは、図２Ａ中のプランジャー２４０の断面を拡大した概略図を表す。
安全シリンジ２００は少なくとも一つの密封リング２９０を含む。
前記密封リング２９０はプランジャー２４０を套設し、それによってプランジャー２４０とシリンジ２１０間に気密性を維持する。
密封リング２９０はＯ型リングを採用できるが、これに制限されるわけではなく、密封リング２９０はその他の気密性を維持できる構造でもあり得る。
【００１４】
プランジャーゴム栓２５０はプランジャー２４０のプランジャー前端２４１に設置される。
ニードルホルダー２６０とプランジャーゴム栓２５０は相互に嵌合する。
ニードルホルダー２６０は針基２２０の後端開口２２１と結合できる。
真空発生装置２７０は前記プランジャー２４０内に設置される。
針基２２０は真空発生装置２７０が発生させる低圧を用いて、前記プランジャー２４０を吸収する。
【００１５】
本実施例では、真空発生装置２７０は真空ゴム栓２７１及びバー２７２を含む。
真空ゴム栓２７１は弾性材質によって製作されており、弾性材質はゴムやシリカゲル、またはその他の弾性材質である。
バー２７２は、ポリプロピレン（polypropylene）によって製作される。
バー２７２は、バー前端２７２１及びバー後端２７２２を含む。
バー前端２７２１は前記真空ゴム栓２７１まで接続される。
バー後端２７２２は封止部２７２３を有する。
前記封止部２７２３はシリンジ２１０のシリンジ前端２１１を密封できる。
このほか、バー２７２は第１断裂部２７２４及び第２断裂部２７２５を含む。
第１断裂部２７２４はバー前端２７２１に接近し、第２断裂部２７２５はバー後端２７２２に接近する。
【００１６】
真空ゴム栓２７１とプランジャー２４０の間には気密性が維持され、バー２７２は真空ゴム栓２７１まで接続され、バー２７２を用いて前記真空ゴム栓２７１を移動させることができる。
真空ゴム栓２７１がプランジャー２４０の前記後端に向かって移動する時、前記プランジャー２４０内部では低圧を発生できる。
前述の低圧と真空ゴム栓２７１の直径と移動距離は相関し、移動距離が固定される時、真空ゴム栓２７１の直径が大きければ大きいほど、発生する低圧も強い。
真空ゴム栓２７１の直径が固定される時、移動距離が大きければ大きいほど、発生する低圧は強くなり、真空ゴム栓２７１の直径と移動距離は実際状況に基づいて設計を行う。
本実施例中では、真空発生装置２７０は真空ゴム栓２７１及びバー２７２を含むが、これに制限されず、真空発生装置２７０はその他の低圧を発生できる装置でもあり得る。
【００１７】
図２Ｄから図２Ｈは、図２Ａ中の安全シリンジ２００の使用概略図を表す。
まず、図２Ｄ及び図２Ｅを参照すると、使用者はバー２７２を後ろに引き、真空ゴム栓２７１はプランジャー２４０のプランジャー後端２４２に向かって移動する。
この時、プランジャー２４０内部では適当な低圧が発生する。
次に、図２Ｆを参照すると、バー２７２の第１断裂部２７２４を切断し、バー２７２を取り下ろし、薬液を安全シリンジ２００内に充填する。
【００１８】
続いて、図２Ｇを参照すると、薬液注射を行う際、プランジャー２４０は安全シリンジ２００の前端に向かって移動する。
薬液注射が完成した時、ニードルホルダー２６０は針基２２０の後端開口２２１と結合でき、しかもニードルホルダー２６０は針基２２０の後端開口２２１を密封できる。
この時、プランジャー２４０は続けて前に向かって移動し、シリンジゴム栓２３０を押し入れ、シリンジゴム栓２３０と針基２２０の結合を解除する。
この時、シリンジゴム栓２３０はシリンジ２１０の結合台座２１５に当接され、針基２２０はニードルホルダー２６０に当接される。
次に、プランジャー２４０は続けて前に向かって移動し、使得プランジャーゴム栓２５０は結合台座２１５に押され、プランジャー２４０内部に向かって移動する。
従ってプランジャー２４０内部の低圧によってプランジャー中に吸収され、針基２２０はニードルホルダー２６０に当接されるため、針基２２０はこれを用いてプランジャー中に吸収される。
【００１９】
最後に、図２Ｈを参照すると、バー２７２の封止部２７２３をシリンジ２１０のシリンジ前端２１１にはめ込み、これによってシリンジ２１０のシリンジ前端２１１を密封し、薬液がシリンジ前端２１１から流出するのを防ぐ。
最後に、バー２７２の第２断裂部２７２５を切断し、余ったバー２７２を取り下げる。
本実施例中では、安全シリンジ２００の設計概念は、３ＣＣ、５ＣＣ、１０ＣＣほどの容量の小さいシリンジに適用できるが、これに制限される訳ではなく、同様の設計概念もその他の容量のシリンジに適用できる。
【００２０】
本考案の安全シリンジを用いて、使用者は真空発生装置によって十分な低圧を発生させ、注射針はスムーズに安全シリンジ内に吸収され、使用者が手をむき出しにして注射針を回収する中での感染のリスクを防ぐ。
また、保存時間が長すぎるために、吸収力の不足を招きスムーズに注射針をシリンジ内に吸収できないという状況を有効的に防ぐことができる。
【００２１】
上述した実施例は本考案の技術思想及び特徴を説明するためにのみ使用し、その目的はこの技術を熟知する人に本考案の内容を理解且つ実施させることにあるが、本考案の特許範囲を限定するものではなく、その他の本考案が掲示する精神が完成する各種同効果に敵う変更や修飾は、本考案が示す範囲内に含まれ、全て下述の申請範囲に含まれる。
【符号の説明】
【００２２】
１００    公知シリンジ
１１０    シリンジ
１２０    ピストン
１２１    ゴム栓部
１３０    注射針ユニット
２００    安全シリンジ
２１０    シリンジ
２１１    シリンジ前端
２１２    シリンジ後端
２１５    結合台座
２２０    針基
２２１    後端開口
２３０    シリンジゴム栓
２４０    プランジャー
２４１    プランジャー前端
２４２    プランジャー後端
２５０    プランジャーゴム栓
２６０    ニードルホルダー
２７０    真空発生装置
２７１    真空ゴム栓
２７２    バー
２８０    針先
２９０    密封リング
２７２１  バー前端
２７２２  バー後端
２７２３  封止部
２７２４  第１断裂部
２７２５  第２断裂部
【図１】
0003152136.tif 000003
【図２Ａ】
0003152136.tif 000004
【図２Ｂ】
0003152136.tif 000005
【図２Ｃ】
0003152136.tif 000006
【図２Ｄ】
0003152136.tif 000007
【図２Ｅ】
0003152136.tif 000008
【図２Ｆ】
0003152136.tif 000009
【図２Ｇ】
0003152136.tif 000010
【図２Ｈ】
0003152136.tif 000011
【手続補正書】
【提出日】平成21年5月18日(2009.5.18)
【手続補正１】
【補正対象書類名】実用新案登録請求の範囲
【補正対象項目名】請求項３
【補正方法】変更
【補正の内容】
【請求項３】
前記バーが封止部を有し、前記封止部が前記シリンジの前端を密封することを特徴とする請求項２に記載する安全シリンジ。